(57)【要約】【課題】枠体の四隅でコーナー部材を共用することができ、製造コストや在庫管理コストなどの諸コストを低減できる枠体及びその枠体を有する看板を提供する。【解決手段】枠体ＦＬは、枠体ＦＬの上側で水平方向に伸びる中空部を有する（例えば、筒状の）上側枠部材１、枠体ＦＬの下側で水平方向に伸びる中空部を有する（例えば、筒状の）下側枠部材２、枠体ＦＬの左側で垂直方向に伸びる中空部を有する（例えば、筒状の）縦部材３、枠体ＦＬの右側で垂直方向に伸びる中空部を有する（例えば、筒状の）縦部材４、上側部材１の左端と縦部材３の上端とを連結するコーナー部材１１、上側部材１の右端と縦部材４の上端とを連結するコーナー部材１２、下側部材２の左端と縦部材３の下端とを連結するコーナー部材１３、及び、下側部材２の右端と縦部材４の下端とを連結するコーナー部材１４から構成されている。【選択図】        図１
2014006454.tif 000002
【特許請求の範囲】
【請求項１】
中空部を有する横枠部材と、中空部を有する縦枠部材と、横枠部材と縦枠部材とを連結するコーナー部材とを有する枠体であって、
横枠部材は外周側に第１のカバー部材を有し、
縦枠部材は外周側に第２のカバー部材を有し、
コーナー部材は、
横枠部材の中空部に挿入される第１の挿入部と、
縦枠部材の中空部に挿入される第２の挿入部とを有するとともに、
第１のカバー部材を延長する第１の延長カバー部材と、第２のカバー部材を延長する第２の延長カバー部材を有することを特徴とする枠体。
【請求項２】
請求項１記載の枠体を有することを特徴とする看板。
【発明の詳細な説明】
【技術分野】
【０００１】
本発明は、中空部を有する横枠部材と、中空部を有する縦枠部材と、横枠部材と縦枠部材とを連結するコーナー部材とを有する枠体、及び、その枠体を有する看板に関する。
【背景技術】
【０００２】
従来、略平板な表示面を有する看板は、例えばアルミ合金などの金属素材で組んで形作った看板の枠体に、例えばプラスチックパネルなどからなる広告表示パネルを表示面として取り付けるようにしている（特許文献１参照）。
【０００３】
ところで、このような従来の看板では、表示面を雨などから守るための庇や、濡れた表示面を伝い流れる雨水を集めて流すための水切りなどを設けようとすると、看板の枠体の角部にも、それらの庇や水切りなどを延長する必要がある。
ところが、庇と水切りとは形状が異なるので、枠体のおのおのの角部に設ける部材（コーナー部材）は、個々のコーナー毎に製作する必要があり、したがって、コーナー部材の製造コストが嵩むとともに、在庫管理が煩雑になってよりコスト高になるという問題があった。
【先行技術文献】
【特許文献】
【０００４】
【特許文献１】実用新案登録第３１３２８８１号公報
【発明の概要】
【発明が解決しようとする課題】
【０００５】
この発明は以上に述べた実情に鑑み、枠体のおのおのの角部に設けるコーナー部材を共用することができ、製造コストや在庫管理コストなどの諸コストを低減できる枠体及びその枠体を有する看板を提供することを目的とする。
【課題を解決するための手段】
【０００６】
この発明は、中空部を有する横枠部材と、中空部を有する縦枠部材と、横枠部材と縦枠部材とを連結するコーナー部材とを有する枠体であって、横枠部材は外周側に第１のカバー部材を有し、縦枠部材は外周側に第２のカバー部材を有し、コーナー部材は、横枠部材の中空部に挿入される第１の挿入部と、縦枠部材の中空部に挿入される第２の挿入部とを有するとともに、第１のカバー部材を延長する第１の延長カバー部材と、第２のカバー部材を延長する第２の延長カバー部材を有することを特徴とする。
また、看板が、そのような枠体を有することも特徴とする。
【発明の効果】
【０００７】
本発明の枠体によれば、枠体の枠組みに用いるコーナー部材は、必要に応じて庇や水切りなどのカバー部材を延長する部材を設けているので、１種類のコーナー部材を、枠組みの四隅に用いることができ、その結果、コーナー部材の量産効果が大きくなって、コストを大幅に低減することができる。
【図面の簡単な説明】
【０００８】
【図１】図１（ａ）は、本発明の一実施例にかかる看板の枠体の構成を示す概略正面図、図１（ｂ）は、本発明の一実施例にかかる看板の枠体の構成を示す概略側面図、図１（ｃ）は、本発明の一実施例にかかる看板の枠体を上から見た概略平面図、図１（ｄ）は本発明の一実施例にかかる看板の枠体を下から見上げた概略底面図である。
【図２】図２（ａ）は、図１（ａ）のＡ−Ｂ断面矢視図であり、図２（ｂ）は、図１（ａ）のＣ−Ｄ断面矢視図である。
【図３】本発明の一実施例にかかる看板の枠体の概略構成を示す概略斜視図である。
【図４】コーナー部材５及びコーナーカバー部材５ａの構成の一例を示した概略構成図である。
【図５】図５（ａ）は、図４のＥ−Ｆ断面矢視図であり、図５（ｂ）は、図４のＧ−Ｈ断面矢視図である。
【図６】コーナー部材７及びコーナーカバー部材７ａの構成の一例を示した概略構成図である。
【発明を実施するための形態】
【０００９】
以下、添付図面を参照しながら、この発明の実施の形態を詳細に説明する。
〔実施例〕
図１（ａ），（ｂ），（ｃ），（ｄ）は、本発明の一実施例にかかる看板の枠体の構成をそれぞれ示す概略正面図、概略側面図、概略平面図、及び、概略底面図である。また、図２（ａ）は、図１（ａ）のＡ−Ｂ断面矢視図であり、同図（ｂ）は、図１（ａ）のＣ−Ｄ断面矢視図である。また、図３は、本発明の一実施例にかかる看板の枠体の概略構成を示す概略斜視図である。
【００１０】
図において、この枠体ＦＬは、枠体ＦＬの上側で水平方向に伸びる中空部を有する（例えば、筒状の）上側枠部材（横枠部材）１、枠体ＦＬの下側で水平方向に伸びる中空部を有する（例えば、筒状の）下側枠部材（横枠部材）２、枠体ＦＬの左側で垂直方向に伸びる中空部を有する（例えば、筒状の）縦部材（縦枠部材）３、枠体ＦＬの右側で垂直方向に伸びる中空部を有する（例えば、筒状の）縦部材（縦枠部材）４、上側部材１の左端と縦部材３の上端とを連結するコーナー部材１１、上側部材１の右端と縦部材４の上端とを連結するコーナー部材１２、下側部材２の左端と縦部材３の下端とを連結するコーナー部材１３、及び、下側部材２の右端と縦部材４の下端とを連結するコーナー部材１４から構成されている。
なお、図示を省略しているが、枠体ＦＬの内側には、表示パネルＰＰを裏側から照明する照明器具が設けられている。
【００１１】
また、上側枠部材１、下側枠部材２、縦部材３、及び、縦部材４のおのおのには、その前面側に保護等のためのカバー部材１ａ，２ａ，３ａ，４ａがそれぞれ設けられている。また、上側枠部材１の上面（外周側）には、枠体ＦＬの表示面側に設けられる表示パネルＰＰ（図２（ａ），（ｂ）参照）の表面を雨水等から保護するための庇を構成する庇部材（第１のカバー部材）９が取り付けられるとともに、下側枠部材２の下面（外周側）には、濡れた表示パネルＰＰを伝い流れる雨水等を集めて流すための水切りを構成する水切り部材（第１のカバー部材）１０が設けられている。
【００１２】
そして、コーナー部材５には、カバー部材１ａとカバー部材３ａとを連絡するコーナーカバー部材５ａが設けられ、コーナー部材６には、カバー部材１ａとカバー部材４ａとを連絡するコーナーカバー部材６ａが設けられ、コーナー部材７には、カバー部材３ａとカバー部材２ａとを連絡するコーナーカバー部材７ａが設けられ、コーナー部材８には、カバー部材２ａとカバー部材４ａとを連絡するコーナーカバー部材８ａが設けられている。
【００１３】
また、コーナー部材５で、上側枠部材１と連絡する部分の上面（外周側）には、庇部材９の左端に連絡するコーナーカバー庇部材（第１の延長カバー部材）１１が設けられ、コーナー部材６で、上側枠部材１と連絡する部分の上面（外周側）には、庇部材９の右端に連絡するコーナーカバー庇部材（第１の延長カバー部材）１２が設けられ、コーナー部材７で、下側枠部材２と連絡する部分の下面（外周側）には、水切り部材１０の左端に連絡するコーナーカバー水切り部材（第１の延長カバー部材）１３が設けられ、カバー部材８で、下側枠部材２と連絡する部分の下面（外周側）には、水切り部材１０の右端に連絡するコーナーカバー水切り部材（第１の延長カバー部材）１４が設けられている。
【００１４】
このようにして、コーナーカバー庇部材１１及びコーナーカバー庇部材１２が、庇部材９の左端と右端をそれぞれ延長するので、庇部材９とコーナーカバー庇部材１１，１２とにより、枠体ＦＬの全幅に渡って一定の突き出し量の枠体ＦＬの庇が構成される。また、コーナーカバー水切り部材１３及びコーナーカバー水切り部材１４が、水切り部材１０の左端及び右端をそれぞれ延長するので、水切り部材１０とコーナーカバー水切り部材１３，１４とにより、枠体ＦＬの全幅に渡って一定の突き出し量の枠体ＦＬの水切りが構成される。
【００１５】
また、縦部材３，４には、その外周側にそれぞれ保護部材（第２のカバー部材）３１，３２が設けられている。また、コーナー部材５の外周側には、保護部材３１を延長するコーナーカバー保護部材（第２の延長カバー部材）３３が設けられ、コーナー部材６には、その外周側に保護部材３２を延長するコーナーカバー保護部材（第２の延長カバー部材）３５が設けられ、コーナー部材７には、その外周側に保護部材３１を延長するコーナーカバー保護部材（第２の延長カバー部材）３４が設けられ、コーナー部材８には、その外周側に保護部材３２を延長するコーナーカバー保護部材（第２の延長カバー部材）３６が設けられている。
【００１６】
このようにして、コーナーカバー保護部材３３及びコーナーカバー保護部材３４が、保護部材３１の上端と下端をそれぞれ延長するので、保護部材３１とコーナーカバー保護部材３３，３４とにより、枠体ＦＬの左側の全高に渡って枠体ＦＬの左側の表面が保護される。また、コーナーカバー保護部材３５及びコーナーカバー保護部材３６により保護部材３２の上端及び下端がそれぞれ延長されるので、保護部材３２とコーナーカバー保護部材３５，３６とにより、枠体ＦＬの右側の全高に渡って枠体ＦＬの右側の表面が保護される。
【００１７】
ここで、表示パネルＰＰは、カバー部材１ａ，２ａ，３ａ，４ａ及びコーナーカバー部材５ａ，６ａ，７ａ，８ａにおのおの設けられた溝１ｂ，２ｂ，３ｂ，４ｂ，５ｂ，６ｂ，７ｂ，８ｂに、その四周の端部が挿入されることで、枠体ＦＬに取り付けられている。なお、図３では、表示パネルＰＰの図示を省略している。
【００１８】
図４は、コーナー部材５及びコーナーカバー部材５ａの構成の一例を示し、また、図５（ａ），（ｂ）は、図４のＥ−Ｆ断面矢視図及びＧ−Ｈ断面矢視図である。なお、コーナー部材６及びコーナーカバー部材６ａの構成は、このコーナー部材５及びコーナーカバー部材５ａの構成と左右逆転したものなので、その説明を省略する。
【００１９】
コーナー部材５には、上側枠部材１の中空部に挿入される連結部（第１の挿入部）２１と、縦部材３の中空部に挿入される連結部（第２の挿入部）２２が設けられており、連結部２１を上側枠部材１に挿入し、連結部２２を縦部材３に挿入することで、上側枠部材１の左端と縦部材３の上端とが、コーナー部材５により連結される。
また、同様にして、上側枠部材１の右端と縦部材４の上端とが、コーナー部材６により連結される。
【００２０】
また、コーナー部材５及びコーナーカバー部材５ａには、縦部材３及びカバー部材３ａの保護部材３１に連絡するコーナーカバー保護部材３３が設けられており、コーナー部材５に設けられた連結部２１を上側枠部材１に挿入し、連結部２２を縦部材３に挿入すると、保護部材３１とコーナーカバー保護部材３３とが連絡する。
また、同様にして、コーナー部材６により、上側枠部材１の右端と縦部材４の上端とを連結すると、保護部材３２とコーナーカバー保護部材３５とが連絡する。
【００２１】
図６は、コーナー部材７及びコーナーカバー部材７ａの構成の一例を示している。なお、コーナー部材８及びコーナーカバー部材８ａの構成は、このコーナー部材７及びコーナーカバー部材７ａの構成と左右逆転したものなので、その説明を省略する。
【００２２】
コーナー部材７には、下側枠部材２の中空部に挿入される連結部２３と、縦部材３の中空部に挿入される連結部２４が設けられており、連結部２３を下側枠部材２に挿入し、連結部２４を縦部材３に挿入することで、下側枠部材２の左端と縦部材３の下端とが、コーナー部材７により連結される。
また、同様にして、下側枠部材２の右端と縦部材４の下端とが、コーナー部材８により連結される。
【００２３】
また、コーナー部材７及びコーナーカバー部材７ａには、縦部材３及びカバー部材３ａの保護部材３１に連絡するコーナーカバー保護部材３４が設けられており、コーナー部材７に設けられた連結部２３を下側枠部材２に挿入し、連結部２４を縦部材３に挿入すると、保護部材３１とコーナーカバー保護部材３４とが連絡する。
また、同様にして、コーナー部材８により、下側枠部材２の右端と縦部材４の下端とを連結すると、保護部材３２とコーナーカバー保護部材３６とが連絡する。
【００２４】
そして、コーナー部材５に設けられる連結部２１，２２、及び、コーナー部材７に設けられる連結部２３，２４の先端は、それぞれが斜めにカットされており、それにより、それらの連結部２１，２２，２３，２４を上側枠部材１、縦部材３、及び、下側枠部材２にそれぞれ挿入する際の作業性を良好にしている。
【００２５】
ここで、コーナー部材６及びコーナーカバー部材６ａは、コーナー部材５及びコーナーカバー部材５ａの左右を反転した構造なので、コーナー部材５及びコーナーカバー部材５ａとコーナー部材６及びコーナーカバー部材６ａとは、同一構造を有する。
【００２６】
また、コーナー部材８及びコーナーカバー部材８ａは、コーナー部材７及びコーナーカバー部材７ａの左右を反転した構造なので、コーナー部材７及びコーナーカバー部材７ａとコーナー部材８及びコーナーカバー部材８ａとは、同一構造を有する。
【００２７】
そして、コーナー部材５及びコーナーカバー部材５ａを反時計回りに９０度回転すると、コーナー部材７及びコーナーカバー部材７ａと同形になるので、コーナー部材５及びコーナーカバー部材５ａは、コーナー部材７及びコーナーカバー部材７ａと同一構造を有する。
【００２８】
以上のことから、枠体ＦＬの四隅を構成する４組の部材、すなわち、コーナー部材５とコーナーカバー部材５ａ、コーナー部材６とコーナーカバー部材６ａ、コーナー部材７とコーナーカバー部材７ａ、及び、コーナー部材８とコーナーカバー部材８ａは、全て同一の構造を有する。
【００２９】
このようにして、本実施例では、枠体ＦＬの四隅を構成する４組の部材として、同一の組部材（コーナー部材及びコーナーカバー部材）を用いることができるので、枠体ＦＬの構成部材の種類を削減でき、製造コストを削減できるとともに、部品の在庫管理等の負担を軽減することができる。
また、枠体ＦＬが庇を有する場合、有しない場合、水切りを有する場合、有しない場合の全ての場合で、枠体ＦＬの四隅を構成する４組の部材として、同一の組部材を用いることができるので、量産効果が大きくなり、製造コストをより削減できる。
【００３０】
なお、上述した実施例では、建築物の躯体に直接取り付ける看板の枠体について説明しているが、建築物の躯体に取り付けた枠体を開閉する開閉枠についても、本発明を同様にして適用することができる。
【００３１】
また、上述した実施例では、例えば、上側枠部材１には、その表面を保護するための部材として、前面を保護するカバー部材１ａと、上面を保護する庇部材９の２つの部材を設けているが、これらを一体化した１つの部材により、上側枠部材１の表面を保護するようにしても良い。また、下側枠部材２については、前面を保護するカバー部材２ａと下面を保護する水切り部材１０の２つの部材により、その表面を保護しているが、それらの２つの部材を一体化した１つの部材により、下側枠部材２の表面を保護することもできる。また、縦部材３，４については、それぞれの前面を保護するカバー部材３ａ，４ａと、側面を保護する保護部材３１，３２の２つの部材により、縦部材３，４の表面を保護しているが、それらの２つの部材を一体化した１つの部材により、縦部材３，４の表面を保護することもできる。
【産業上の利用可能性】
【００３２】
本発明は、中空部を有する（例えば、筒状の）枠部材を用いた枠体であれば、どのような構成のものについても、同様にして適用することができる。また、表示面としてプラスチックパネル以外のもの、例えば、シートなどを用いる看板の枠体についても本発明を同様にして適用することができる。
【符号の説明】
【００３３】
ＦＬ  枠体
１  上側枠部材
２  下側枠部材
３，４  縦枠部材
１ａ，２ａ，３ａ，４ａ  カバー部材
５，６，７，８  コーナー部材
５ａ，６ａ，７ａ，８ａ  コーナーカバー部材
１ｂ，２ｂ，３ｂ，４ｂ，５ｂ，６ｂ，７ｂ，８ｂ  溝
９  庇部材
１０  水切り部材
１１，１２  コーナーカバー庇部材
１３，１４  コーナーカバー水切り部材
３１，３２  保護部材
３３，３４，３５，３６  コーナーカバー保護部材
【図１】
2014006454.tif 000003
【図２】
2014006454.tif 000004
【図３】
2014006454.tif 000005
【図４】
2014006454.tif 000006
【図５】
2014006454.tif 000007
【図６】
2014006454.tif 000008